(57)【要約】  【課題】  従来の移植機においては、たとえば、スタンドロッドが走行時に滑落してスタンド接地アームが圃場表面に当接してしまう恐れがある。  【解決手段】  車体１０を走行させる駆動後輪１２と、野菜苗を供給する、車体１０へ取付けられた野菜苗供給テーブル４０と、供給された野菜苗を植付ける、車体１０へ取付けられた野菜苗植付装置５０と、車体１０へ取付けられたパイプ部材１０００と、パイプ部材１０００へ上下方向に摺動可能に取付けられたスタンドロッド２１００と、スタンドロッド２１００の下端部へ取付けられたスタンド接地アーム２２００と、を有するスタンド２０００と、スタンド接地アーム２２００がスタンド非使用状態において接地しないように、スタンド２０００を保持する、車体１０へ取付けられたスタンド保持部材３０００と、を備えた野菜苗移植機である。【選択図】  図１
2018102179.tif 000002
【特許請求の範囲】
【請求項１】
車体（１０）を走行させる走行装置（１２）と、
移植物を供給する、前記車体（１０）へ取付けられた移植物供給装置（４０）と、
供給された前記移植物を植付ける、前記車体（１０）へ取付けられた移植物植付装置（５０）と、
前記車体（１０）へ取付けられたパイプ部材（１０００）と、
前記パイプ部材（１０００）へ上下方向に摺動可能に取付けられたスタンドロッド（２１００）と、前記スタンドロッド（２１００）の下端部へ取付けられたスタンド接地アーム（２２００）と、を有するスタンド（２０００）と、
前記スタンド接地アーム（２２００）がスタンド非使用状態において接地しないように、前記スタンド（２０００）を保持する、前記車体（１０）へ取付けられたスタンド保持部材（３０００）と、
を備えたことを特徴とする移植機。
（１）
【請求項２】
前記スタンドロッド（２１００）は、係止ピン（２１１０）を有し、
前記スタンド保持部材（３０００）は、前記スタンド接地アーム（２２００）がスタンド非使用状態において接地しないように、前記係止ピン（２１１０）が係止させられるクリップ（３１００）を有することを特徴とする請求項１に記載の移植機。
（２）
【請求項３】
前記パイプ部材（１０００）の内壁面には、単数または複数のキー溝（１１１０、１１２０）が前記上下方向に形成されており、
前記スタンドロッド（２１００）の外周面には、単数または複数のキー突起（２１２１、２１２２）が前記キー溝（１１１０、１１２０）に応じて形成されていることを特徴とする請求項１または２に記載の移植機。
（２）
【請求項４】
前記パイプ部材（１０００）の下端部には、前記キー突起（２１２１、２１２２）が嵌められる窪み（１２１０、１２２０）が前記キー溝（１１１０、１１２０）の位置から外れた位置に形成されていることを特徴とする請求項３に記載の移植機。
（４）
【請求項５】
前記スタンドロッド（２１００）の上部の外周面には、鍔（２１３０）が形成されており、
前記鍔（２１３０）と前記パイプ部材（１０００）の上端面との間には、スプリング（４０００）が挿入されており、
前記キー突起（２１２１、２１２２）が前記窪み（１２１０、１２２０）へ嵌められているとき、前記鍔（２１３０）に印加される前記スプリング（４０００）の付勢力の向きは上向きであることを特徴とする請求項４に記載の移植機。
（３）
【請求項６】
前記窪み（１２１０、１２２０）の一方の土手（１２１１、１２２１）の高さは、前記窪み（１２１０、１２２０）の他方の土手（１２１２、１２２２）の高さより大きいことを特徴とする請求項４または５に記載の移植機。
（５）
【請求項７】
前記走行装置（１２）へ動力を伝達する走行伝動ケース（５０００）と、
脱着可能な単数または複数のウェイト（６１１０、６１２０、６１３０）を支持するウェイト支持具（６２００）を有する、前記走行伝動ケース（５０００）へ脱着可能に取付けられたウェイト部材（６０００）と、
を備えたことを特徴とする請求項１から６の何れかに記載の移植機。
（６）
【請求項８】
前記ウェイト支持具（６２００）は、前記走行伝動ケース（５０００）へ係止させられるウェイト部材取付けフック（６２１１、６２１２）を有することを特徴とする請求項７に記載の移植機。
（７）
【請求項９】
前記走行伝動ケース（５０００）は、車体内側ケースカバーフランジ（５１１０）を有する車体内側ケースカバー（５１００）と、車体外側ケースカバーフランジ（５２１０）を有する車体外側ケースカバー（５２００）と、を有し、
前記車体内側ケースカバーフランジ（５１１０）と前記車体外側ケースカバーフランジ（５２１０）とは、重ね合わされており、
前記ウェイト支持具（６２００）は、ウェイト部材取付けステー（６２５０）を有し、
前記ウェイト部材取付けステー（６２５０）は、前記車体内側ケースカバーフランジ（５１１０）と前記車体外側ケースカバーフランジ（５２１０）とへウェイト部材取付けボルト（６２６０）で固定されていることを特徴とする請求項７に記載の移植機。
【発明の詳細な説明】
【技術分野】
【０００１】
本発明は、野菜苗などの移植物を植付ける移植機に関する。
【背景技術】
【０００２】
野菜苗などの移植物を植付ける移植機が、知られている（たとえば、特許文献１参照）。
【０００３】
このような移植機は、車体を走行させる走行装置と、移植物を供給する、車体へ取付けられた移植物供給装置と、供給された移植物を植付ける、車体へ取付けられた移植物植付装置と、上下方向に摺動可能に取付けられたスタンドロッドと、スタンドロッドの下端部へ取付けられたスタンド接地アームと、を有するスタンドと、を備えている。
【先行技術文献】
【特許文献】
【０００４】
【特許文献１】特開平１１−２２７５９３号公報
【発明の概要】
【発明が解決しようとする課題】
【０００５】
しかしながら、本発明者は、上述された従来の移植機においては、たとえば、スタンドロッドが走行時に滑落してスタンド接地アームが圃場表面に当接してしまう恐れがあることに気付いた。
【０００６】
そして、本発明者は、スタンド非使用状態を確実に実現することが重要であると考えている。
【０００７】
本発明は、上述された従来の課題を考慮し、スタンド非使用状態を確実に実現することができる移植機を提供することを目的とする。
【課題を解決するための手段】
【０００８】
第１の本発明は、車体（１０）を走行させる走行装置（１２）と、
移植物を供給する、前記車体（１０）へ取付けられた移植物供給装置（４０）と、
供給された前記移植物を植付ける、前記車体（１０）へ取付けられた移植物植付装置（５０）と、
前記車体（１０）へ取付けられたパイプ部材（１０００）と、
前記パイプ部材（１０００）へ上下方向に摺動可能に取付けられたスタンドロッド（２１００）と、前記スタンドロッド（２１００）の下端部へ取付けられたスタンド接地アーム（２２００）と、を有するスタンド（２０００）と、
前記スタンド接地アーム（２２００）がスタンド非使用状態において接地しないように、前記スタンド（２０００）を保持する、前記車体（１０）へ取付けられたスタンド保持部材（３０００）と、
を備えたことを特徴とする移植機である。
【０００９】
第２の本発明は、前記スタンドロッド（２１００）は、係止ピン（２１１０）を有し、
前記スタンド保持部材（３０００）は、前記スタンド接地アーム（２２００）がスタンド非使用状態において接地しないように、前記係止ピン（２１１０）が係止させられるクリップ（３１００）を有することを特徴とする第１の本発明の移植機である。
【００１０】
第３の本発明は、前記パイプ部材（１０００）の内壁面には、単数または複数のキー溝（１１１０、１１２０）が前記上下方向に形成されており、
前記スタンドロッド（２１００）の外周面には、単数または複数のキー突起（２１２１、２１２２）が前記キー溝（１１１０、１１２０）に応じて形成されていることを特徴とする第１または第２の本発明の移植機である。
【００１１】
第４の本発明は、前記パイプ部材（１０００）の下端部には、前記キー突起（２１２１、２１２２）が嵌められる窪み（１２１０、１２２０）が前記キー溝（１１１０、１１２０）の位置から外れた位置に形成されていることを特徴とする第３の本発明の移植機である。
【００１２】
第５の本発明は、前記スタンドロッド（２１００）の上部の外周面には、鍔（２１３０）が形成されており、
前記鍔（２１３０）と前記パイプ部材（１０００）の上端面との間には、スプリング（４０００）が挿入されており、
前記キー突起（２１２１、２１２２）が前記窪み（１２１０、１２２０）へ嵌められているとき、前記鍔（２１３０）に印加される前記スプリング（４０００）の付勢力の向きは上向きであることを特徴とする第４の本発明の移植機である。
【００１３】
第６の本発明は、前記窪み（１２１０、１２２０）の一方の土手（１２１１、１２２１）の高さは、前記窪み（１２１０、１２２０）の他方の土手（１２１２、１２２２）の高さより大きいことを特徴とする第４または第５の本発明の移植機である。
【００１４】
第７の本発明は、前記走行装置（１２）へ動力を伝達する走行伝動ケース（５０００）と、
脱着可能な単数または複数のウェイト（６１１０、６１２０、６１３０）を支持するウェイト支持具（６２００）を有する、前記走行伝動ケース（５０００）へ脱着可能に取付けられたウェイト部材（６０００）と、
を備えたことを特徴とする第１から第６の何れかの本発明の移植機である。
【００１５】
第８の本発明は、前記ウェイト支持具（６２００）は、前記走行伝動ケース（５０００）へ係止させられるウェイト部材取付けフック（６２１１、６２１２）を有することを特徴とする第７の本発明の移植機である。
【００１６】
第９の本発明は、前記走行伝動ケース（５０００）は、車体内側ケースカバーフランジ（５１１０）を有する車体内側ケースカバー（５１００）と、車体外側ケースカバーフランジ（５２１０）を有する車体外側ケースカバー（５２００）と、を有し、
前記車体内側ケースカバーフランジ（５１１０）と前記車体外側ケースカバーフランジ（５２１０）とは、重ね合わされており、
前記ウェイト支持具（６２００）は、ウェイト部材取付けステー（６２５０）を有し、
前記ウェイト部材取付けステー（６２５０）は、前記車体内側ケースカバーフランジ（５１１０）と前記車体外側ケースカバーフランジ（５２１０）とへウェイト部材取付けボルト（６２６０）で固定されていることを特徴とする第７の本発明の移植機である。
【発明の効果】
【００１７】
第１の本発明により、スタンド保持部材（３０００）を利用し、スタンド非使用状態を確実に実現することが可能である。
【００１８】
第２の本発明により、第１の本発明の効果に加えて、係止ピン（２１１０）およびクリップ（３１００）を利用し、スタンド非使用状態を簡素な構成で実現することが可能である。
【００１９】
第３の本発明により、第１または第２の本発明の効果に加えて、キー溝（１１１０、１１２０）およびキー突起（２１２１、２１２２）を利用し、作業者の意図に反したスタンドロッド（２１００）の回動が抑制される構成を容易に実現することが可能である。
【００２０】
第４の本発明により、第３の本発明の効果に加えて、窪み（１２１０、１２２０）を利用し、作業者の意図に反したスタンドロッド（２１００）の回動がさらに抑制される構成を容易に実現することが可能である。
【００２１】
第５の本発明により、第４の本発明の効果に加えて、鍔（２１３０）およびスプリング（４０００）を利用し、スタンドロッド（２１００）の回動および摺動を抑制することが可能である。
【００２２】
第６の本発明により、第４または第５の本発明の効果に加えて、一方の土手（１２１１、１２２１）および他方の土手（１２１２、１２２２）を利用し、スタンドロッド（２１００）の回動範囲を抑制することが可能である。
【００２３】
第７の本発明により、第１から第６の何れかの本発明の効果に加えて、ウェイト部材（６０００）を利用し、十分な走行装置（１２）の接地を実現することが可能である。
【００２４】
第８の本発明により、第７の本発明の効果に加えて、ウェイト部材取付けフック（６２１１、６２１２）を利用し、走行装置（１２）の接地を簡素な構成で実現することが可能である。
【００２５】
第９の本発明により、第７の本発明の効果に加えて、ウェイト部材取付けステー（６２５０）を利用し、走行装置（１２）の接地を確実に実現することが可能である。
【図面の簡単な説明】
【００２６】
【図１】本発明における実施の形態の野菜苗移植機の左側面図
【図２】本発明における実施の形態の野菜苗移植機の上面図
【図３】本発明における実施の形態の野菜苗移植機のパイプ部材近傍の模式的な部分斜視図（その一）
【図４】本発明における実施の形態の野菜苗移植機のパイプ部材近傍の模式的な部分斜視図（その二）
【図５】（ａ）本発明における実施の形態の野菜苗移植機のパイプ部材近傍の模式的な部分背面図（その一）、（ｂ）本発明における実施の形態の野菜苗移植機のパイプ部材近傍の模式的な部分背面図（その二）
【図６】（ａ）本発明における実施の形態の野菜苗移植機のパイプ部材近傍の模式的な部分右側面図（その一）、（ｂ）本発明における実施の形態の野菜苗移植機のパイプ部材近傍の模式的な部分右側面図（その二）
【図７】（ａ）本発明における実施の形態の野菜苗移植機のパイプ部材近傍の模式的な部分上面図（その一）、（ｂ）本発明における実施の形態の野菜苗移植機のパイプ部材近傍の模式的な部分上面図（その二）
【図８】本発明における第１の別の実施の形態の野菜苗移植機のパイプ部材の模式的な部分右側面図
【図９】（ａ）本発明における第２の別の実施の形態の野菜苗移植機のパイプ部材の模式的な部分背面図、（ｂ）本発明における第２の別の実施の形態の野菜苗移植機のパイプ部材の模式的な部分下面図
【図１０】本発明における第３の別の実施の形態の野菜苗移植機のパイプ部材近傍の、車体前後方向に垂直な断面に関する模式的な部分断面図
【図１１】（ａ）本発明における第４の別の実施の形態の野菜苗移植機のパイプ部材近傍の模式的な部分背面図（その一）、（ｂ）本発明における第４の別の実施の形態の野菜苗移植機のパイプ部材近傍の模式的な部分背面図（その二）
【図１２】（ａ）本発明における第４の別の実施の形態の野菜苗移植機のパイプ部材近傍の模式的な部分右側面図（その一）、（ｂ）本発明における第４の別の実施の形態の野菜苗移植機のパイプ部材近傍の模式的な部分右側面図（その二）
【図１３】（ａ）本発明における第４の別の実施の形態の野菜苗移植機のパイプ部材近傍の模式的な部分上面図（その一）、（ｂ）本発明における第４の別の実施の形態の野菜苗移植機のパイプ部材近傍の模式的な部分上面図（その二）
【図１４】本発明における実施の形態の野菜苗移植機の走行伝動ケース近傍の模式的な部分斜視図
【図１５】（ａ）本発明における実施の形態の野菜苗移植機のウェイト部材近傍の、車体前後方向に垂直な断面に関する模式的な部分断面図（その一）、（ｂ）本発明における実施の形態の野菜苗移植機のウェイト部材近傍の、車体前後方向に垂直な断面に関する模式的な部分断面図（その二）
【図１６】（ａ）本発明における第５の別の実施の形態の野菜苗移植機のウェイト部材近傍の、車体前後方向に垂直な断面に関する模式的な部分断面図（その一）、（ｂ）本発明における第５の別の実施の形態の野菜苗移植機のウェイト部材近傍の、車体前後方向に垂直な断面に関する模式的な部分断面図（その二）
【図１７】（ａ）本発明における第６の別の実施の形態の野菜苗移植機のウェイト部材近傍の、車体前後方向に垂直な断面に関する模式的な部分断面図（その一）、（ｂ）本発明における第６の別の実施の形態の野菜苗移植機のウェイト部材近傍の、車体前後方向に垂直な断面に関する模式的な部分断面図（その二）
【図１８】本発明における実施の形態の野菜苗移植機のボンネットの中央部近傍の、車体前後方向に垂直な断面に関する模式的な部分断面図
【図１９】本発明に関連する発明における実施の形態の野菜苗移植機の模式的な左側面図
【図２０】本発明に関連する発明における実施の形態の野菜苗移植機のメインフレーム近傍の模式的な部分斜視図
【発明を実施するための形態】
【００２７】
以下、図面を参照しながら、本発明および本発明に関連する発明における実施の形態について詳細に説明する。
【００２８】
はじめに、図１および２を参照しながら、本実施の形態の野菜苗移植機の構成および動作について具体的に説明する。
【００２９】
ここに、図１は本発明における実施の形態の野菜苗移植機の左側面図であり、図２は本発明における実施の形態の野菜苗移植機の上面図である。
【００３０】
図１および２においては、スタンドロッド２１００がパイプ部材１０００に対し上方向に摺動させられてスタンド接地アーム２２００が接地しないように収納されているスタンド非使用状態が示されている。
【００３１】
本実施の形態の野菜苗移植機は本発明における移植機の一例であり、本実施の形態の野菜苗は本発明における移植物の一例である。
【００３２】
最初に説明されるのは、本実施の形態の野菜苗移植機の基本的な構成および動作である。したがって、たとえば、非走行時の転倒を防止するためのスタンド保持部材３０００に関連する構成および動作などについては、後に詳細に説明する。
【００３３】
本実施の形態の野菜苗移植機は、エンジン２０、操作ユニット３０、野菜苗供給テーブル４０、野菜苗植付装置５０、および鎮圧機構６０などを備える。
【００３４】
車体１０の前部には、エンジン２０などが、左右一対の従動前輪１１とともに配置されている。
【００３５】
操作ユニット３０は、車体１０のメインフレーム１４へ取付けられている、作業者が車体１０の後方を歩きながら車体操向操作を行うための操縦ハンドル１３の中央部に配置されており、メインクラッチレバーなどを有する。
【００３６】
野菜苗供給テーブル４０は、ループ状に連結されて周回移動させられる、作業者により補給された野菜苗を収容する八個の野菜苗収容カップ４１などを有する。
【００３７】
車体１０の後部には、植付ホッパー移動静軌跡に沿って上下移動させられる、野菜苗供給テーブル４０により落下供給された野菜苗を植付ける野菜苗植付装置５０、および植付けられた野菜苗の周辺の土壌に鎮圧荷重を負荷する鎮圧機構６０などが、左右一対の駆動後輪１２とともに配置されている。
【００３８】
駆動後輪１２は、車体１０を走行させる装置であり、本発明における走行装置の一例である。野菜苗供給テーブル４０は、野菜苗を供給する、車体１０へ取付けられた装置であり、本発明における移植物供給装置の一例である。野菜苗植付装置５０は、供給された野菜苗を植付ける、車体１０へ取付けられた装置であり、本発明における移植物植付装置の一例である。
【００３９】
つぎに、図３および４を主として参照しながら、スタンド保持部材３０００に関連する構成および動作について具体的に説明する。
【００４０】
ここに、図３および４は、本発明における実施の形態の野菜苗移植機のパイプ部材１０００近傍の模式的な部分斜視図（その一および二）である。
【００４１】
図３においては、スタンドロッド２１００がパイプ部材１０００に対し上方向に摺動させられてスタンド接地アーム２２００が接地しないように収納されているスタンド非使用状態が示されている。図４においては、スタンドロッド２１００がパイプ部材１０００に対し下方向に摺動させられてスタンド接地アーム２２００が接地しているスタンド使用状態が示されている。
【００４２】
図３および４においては、パイプ部材１０００およびスタンドロッド２１００などの構成がより理解しやすくなるように、鍔２１３０およびスプリング４０００は示されておらず、図４においてはスタンド保持部材３０００も示されていない。
【００４３】
パイプ部材１０００は、車体１０へ取付けられた部材である。
【００４４】
パイプ部材１０００は、車体１０へ直接的に取付けられていてもよいし、車体１０へ間接的に取付けられていてもよく、たとえば、パイプ部材取付けステーを介して車体１０のメインフレーム１４へ取付けられていてもよいし、車体１０へ取付けられたスタンド保持部材３０００へ取付けられていてもよい。
【００４５】
スタンド２０００は、スタンドロッド２１００と、スタンド接地アーム２２００と、を有する。スタンドロッド２１００は、パイプ部材１０００へ上下方向に摺動可能に取付けられたロッドである。スタンド接地アーム２２００は、スタンドロッド２１００の下端部へ取付けられた接地アームである。
【００４６】
スタンドロッド２１００が摺動する上下方向は、厳密な意味での鉛直方向であってもよいし、厳密な意味での鉛直方向ではなくてもよく、たとえば、やや前後方向に傾いていてもよい。
【００４７】
スタンド保持部材３０００は、スタンド接地アーム２２００がスタンド非使用状態において接地しないように、スタンド２０００を保持する、車体１０へ取付けられた部材である。
【００４８】
スタンド保持部材３０００は、車体１０へ直接的に取付けられていてもよいし、車体１０へ間接的に取付けられていてもよく、たとえば、スタンド保持部材取付けステーを介して車体１０のメインフレーム１４へ取付けられていてもよいし、車体１０へ取付けられたパイプ部材１０００へ取付けられていてもよい。
【００４９】
スタンド２０００は、スタンド接地アーム２２００がスタンド非使用状態において接地しないように、スタンド保持部材３０００により保持されるので、スタンド非使用状態を確実に実現することができ、スタンドロッド２１００が走行時に滑落してスタンド接地アーム２２００が圃場表面に当接してしまう恐れは低減される。
【００５０】
スタンド２０００は、車体左右方向に関して右側で車体１０へ取付けられている。
【００５１】
スタンド非使用状態においては、スタンド接地アーム２２００は前へ向けられ、スタンド接地アーム２２００の長手方向は車体前後方向と一致する。したがって、スタンド非使用状態のスタンド２０００は、車体１０の外側に突出しないので、たとえば、作業者の邪魔にならず、植付けられた野菜苗などと干渉しない。
【００５２】
もちろん、スタンド接地アーム２２００がスタンド非使用状態において後へ向けられる構成なども、考えられる。
【００５３】
スタンド使用状態においては、スタンド接地アーム２２００は左へ向けられ、スタンド接地アーム２２００の長手方向は車体左右方向と一致する。したがって、スタンド使用状態のスタンド２０００は、車体１０の内側に突出するので、たとえば、車体左右方向に関してバランスを保ちつつ、非走行時の転倒を防止する。
【００５４】
もちろん、スタンド２０００が車体左右方向に関して左側で車体１０へ取付けられており、スタンド接地アーム２２００がスタンド使用状態において右へ向けられる構成なども、考えられる。
【００５５】
つぎに、図５〜７を主として参照しながら、スタンド保持部材３０００に関連する構成および動作についてより具体的に説明する。
【００５６】
ここに、図５（ａ）および（ｂ）は本発明における実施の形態の野菜苗移植機のパイプ部材１０００近傍の模式的な部分背面図（その一および二）であり、図６（ａ）および（ｂ）は本発明における実施の形態の野菜苗移植機のパイプ部材１０００近傍の模式的な部分右側面図（その一および二）であり、図７（ａ）および（ｂ）は本発明における実施の形態の野菜苗移植機のパイプ部材１０００近傍の模式的な部分上面図（その一および二）である。
【００５７】
図５（ａ）、６（ａ）および７（ａ）においては、スタンドロッド２１００がパイプ部材１０００に対し上方向に摺動させられてスタンド接地アーム２２００が接地しないように収納されているスタンド非使用状態が示されている。図５（ｂ）、６（ｂ）および７（ｂ）においては、スタンドロッド２１００がパイプ部材１０００に対し下方向に摺動させられてスタンド接地アーム２２００が接地しているスタンド使用状態が示されている。
【００５８】
図７（ａ）および（ｂ）においては、パイプ部材１０００およびスタンドロッド２１００などの構成がより理解しやすくなるように、鍔２１３０およびスプリング４０００は示されていない。
【００５９】
スタンドロッド２１００は、係止ピン２１１０を有する。
【００６０】
スタンド保持部材３０００は、スタンド接地アーム２２００がスタンド非使用状態において接地しないように、係止ピン２１１０が係止させられるクリップ３１００を有する。
【００６１】
係止ピン２１１０は、位置Ｐ１に形成されたスタンドロッド２１００の溶接孔などを利用して一本の丸棒のスロット溶接で形成されていてもよいし、たとえば、コストが低く交換性が優れているスプリングピン打込みで形成されていてもよい。
【００６２】
係止ピン２１１０はクリップ３１００へ係止させられるので、スタンド非使用状態を簡素な構成で実現することができ、スタンドロッド２１００が走行時に滑落してスタンド接地アーム２２００が圃場表面に当接してしまう恐れはさらに低減される。そして、スタンド非使用状態とスタンド使用状態との間の遷移がクリップ脱着およびスタンドロッド捻り上げ下げによるワンタッチ操作で容易に実現され、作業効率が向上する。
【００６３】
パイプ部材１０００の内壁面には、キー溝１１１０および１１２０が上下方向に形成されている。
【００６４】
スタンドロッド２１００の外周面には、キー突起２１２１がキー溝１１１０に応じて形成されており、キー突起２１２２がキー溝１１２０に応じて形成されている。
【００６５】
上面視において、キー溝１１１０とキー溝１１２０とは径方向に並んでおり、キー突起２１２１とキー突起２１２２とは径方向に並んでいる。したがって、キー突起２１２１および２１２２は、それぞれキー溝１１１０および１１２０へスムーズにぴったりと嵌込む。そして、キー突起２１２１および２１２２の幅はキー溝１１１０および１１２０の幅より小さく、キー突起２１２１および２１２２は全面ではキー溝１１１０および１１２０に接触しないので、スタンド非使用状態とスタンド使用状態との間の遷移状態における引っ掛かりは生じにくく、スタンドロッド２１００をスムーズに動かすことができる。
【００６６】
キー突起２１２１および２１２２は、位置Ｐ２に形成されたスタンドロッド２１００の溶接孔などを利用して一本または二本の丸棒のスロット溶接で形成されていてもよいし、たとえば、コストが低く交換性が優れているスプリングピン打込みで形成されていてもよい。
【００６７】
キー突起２１２１および２１２２がそれぞれキー溝１１１０および１１２０へ嵌められる、スタンド非使用状態、およびスタンド非使用状態とスタンド使用状態との間の遷移状態に対応するスタンドロッド摺動位置においては、スタンドロッド２１００の回動角度が束縛されるので、スタンドロッド２１００の回動は規制される。したがって、スタンド非使用状態および遷移状態における、作業者の意図に反したスタンドロッド２１００の回動が抑制される構成を容易に実現することができ、スタンド非使用状態とスタンド使用状態との間の遷移はガイダンスによりスムーズに行われる。そして、スタンド使用状態からスタンド非使用状態への、スタンドロッド２１００がパイプ部材１０００に対し上方向に摺動してしまう作業者の意図に反した遷移は、発生しにくくなる。
【００６８】
パイプ部材１０００の下端部には、キー突起２１２１が嵌められる窪み１２１０がキー溝１１１０および１１２０の位置から外れた位置に形成されており、キー突起２１２２が嵌められる窪み１２２０がキー溝１１１０および１１２０の位置から外れた位置に形成されている。
【００６９】
スタンド接地アーム２２００が接地させられているとき、キー突起２１２１および２１２２はそれぞれ窪み１２１０および１２２０へ嵌められる。
【００７０】
窪み１２１０および１２２０は、側面視において長方形形状に形成されている。
【００７１】
図８に示されているように、窪み１２１０および１２２０は、キー突起２１２１および２１２２が斜めの窪み側面により容易に嵌められる、側面視において台形形状に形成されていてもよい。
【００７２】
ここに、図８は、本発明における第１の別の実施の形態の野菜苗移植機のパイプ部材１０００の模式的な部分右側面図である。
【００７３】
上面視において、窪み１２１０と窪み１２２０とは径方向に並んでおり、キー溝１１１０および１１２０の位相と窪み１２１０および１２２０の位相との間の差は９０度である。したがって、キー突起２１２１および２１２２は、それぞれ窪み１２１０および１２２０へスムーズにぴったりと嵌込む。
【００７４】
キー突起２１２１および２１２２がそれぞれ窪み１２１０および１２２０へ嵌められるスタンド使用状態に対応するスタンドロッド摺動位置においては、スタンドロッド２１００の回動角度が束縛されるので、スタンドロッド２１００の回動は規制される。したがって、スタンド使用状態における、作業者の意図に反したスタンドロッド２１００の回動が抑制される構成を容易に実現することができる。そして、スタンド使用状態からスタンド非使用状態への、スタンドロッド２１００がパイプ部材１０００に対し上方向に摺動してしまう作業者の意図に反した遷移は、さらに発生しにくくなる。
【００７５】
スタンドロッド２１００の上部の外周面には、鍔２１３０が形成されている。
【００７６】
鍔２１３０は、位置Ｐ３に形成されたスタンドロッド２１００の溶接孔などを利用してスロット溶接で形成されていてもよいし、たとえば、コストが低く交換性が優れているスプリングピン打込みで形成されていてもよい。
【００７７】
鍔２１３０は、上面視において略Ｏ字形状に形成されていてもよいし、たとえば、略Ｃ字形状に形成されていてもよい。
【００７８】
鍔２１３０とパイプ部材１０００の上端面との間には、スプリング４０００が挿入されている。
【００７９】
キー突起２１２１が窪み１２１０へ嵌められており、キー突起２１２２が窪み１２２０へ嵌められているとき、鍔２１３０に印加されるスプリング４０００の付勢力の向きは上向きである。
【００８０】
キー突起２１２１および２１２２はそれぞれ窪み１２１０および１２２０へしっかりと嵌められるので、スタンド使用状態における、スタンドロッド２１００の回動および摺動を抑制することができる。
【００８１】
もちろん、スプリング４０００は挿入されておらず、鍔２１３０は、スタンドロッド２１００がパイプ部材１０００に対し下方向に摺動して脱落するスタンドロッド脱落を防止する、単なるスタンドロッド脱落防止部材として機能する構成なども、考えられる。
【００８２】
なお、図９（ａ）および（ｂ）に示されているように、窪み１２１０の一方の土手１２１１の高さは窪み１２１０の他方の土手１２１２の高さより大きく、窪み１２２０の一方の土手１２２１の高さは窪み１２２０の他方の土手１２２２の高さより大きい、変形例の実施の形態も考えられる。
【００８３】
ここに、図９（ａ）は本発明における第２の別の実施の形態の野菜苗移植機のパイプ部材１０００の模式的な部分背面図であり、図９（ｂ）は本発明における第２の別の実施の形態の野菜苗移植機のパイプ部材１０００の模式的な部分下面図である。
【００８４】
キー突起２１２１および２１２２がそれぞれ窪み１２１０および１２２０へ嵌められるスタンド使用状態に対応するスタンドロッド摺動位置においては、スタンドロッド２１００の回動範囲を抑制することができるので、スタンドロッド２１００の回動は矢印ＸおよびＹで示された９０度の回動角度範囲に規制される。したがって、スタンド非使用状態とスタンド使用状態との間の遷移状態のスタンド２０００は、車体１０の外側に突出しないので、たとえば、作業者の邪魔にならず、植付けられた野菜苗などと干渉しない。
【００８５】
スタンド２０００およびスタンド保持部材３０００の構成については、たとえば、つぎのような変形例も考えられる。
【００８６】
図１０に示されているように、スタンドロッド２１００は係止ピン２１１０の代わりにボールスプリング凹み２１５０を有し、スタンド保持部材３０００はクリップ３１００の代わりにボールスプリング機構３５００を有する構成が、考えられる。
【００８７】
ここに、図１０は、本発明における第３の別の実施の形態の野菜苗移植機のパイプ部材１０００近傍の、車体前後方向に垂直な断面に関する模式的な部分断面図である。
【００８８】
ボールスプリング機構３５００は、パイプ部材１０００と一体的に形成された、省スペース化に有利な機構であり、ボールスプリング凹み２１５０へ嵌込むボール３５１０と、ボール３５１０を付勢するボール付勢スプリング３５２０と、スタンドロッド２１００の固定度を変更するためにボール付勢スプリング３５２０の締結量を調整するスプリング締付ボルト３５３０と、を有する。
【００８９】
パイプ部材１０００およびスタンド２０００の構成については、たとえば、つぎのような変形例も考えられる。
【００９０】
図１１〜１３に示されているように、パイプ部材１０００はキー溝１１１０および１１２０の代わりにキー切欠き１１５０を有し、スタンド２０００はキー突起２１２１および２１２２の代わりに補強アーム２１６０を有する構成が、考えられる。
【００９１】
ここに、図１１（ａ）および（ｂ）は本発明における第４の別の実施の形態の野菜苗移植機のパイプ部材１０００近傍の模式的な部分背面図（その一および二）であり、図１２（ａ）および（ｂ）は本発明における第４の別の実施の形態の野菜苗移植機のパイプ部材１０００近傍の模式的な部分右側面図（その一および二）であり、図１３（ａ）および（ｂ）は本発明における第４の別の実施の形態の野菜苗移植機のパイプ部材１０００近傍の模式的な部分上面図（その一および二）である。
【００９２】
図１１（ａ）、１２（ａ）および１３（ａ）においては、スタンドロッド２１００がパイプ部材１０００に対し上方向に摺動させられてスタンド接地アーム２２００が接地しないように収納されているスタンド非使用状態が示されている。図１１（ｂ）、１２（ｂ）および１３（ｂ）においては、スタンドロッド２１００がパイプ部材１０００に対し下方向に摺動させられてスタンド接地アーム２２００が接地しているスタンド使用状態が示されている。
【００９３】
パイプ部材１０００は、上面視において略Ｃ字形状に形成されている。そして、補強アーム２１６０は、スタンド非使用状態および遷移状態においてキー切欠き１１５０へ嵌められ、スタンド使用状態において窪み１２１０へ嵌められる。
【００９４】
もちろん、スタンド２０００が車体左右方向に関して左側で車体１０へ取付けられており、スタンド接地アーム２２００がスタンド使用状態において右へ向けられ、補強アーム２１６０はスタンド使用状態において窪み１２２０へ嵌められる構成なども、考えられる。
【００９５】
つぎに、図１４を主として参照しながら、ウェイト部材６０００に関連する構成および動作について具体的に説明する。
【００９６】
ここに、図１４は、本発明における実施の形態の野菜苗移植機の走行伝動ケース５０００近傍の模式的な部分斜視図である。
【００９７】
走行伝動ケース５０００は、駆動後輪１２へ動力を伝達する伝動ケースである。
【００９８】
ウェイト部材６０００は、ウェイト支持具６２００を有する、走行伝動ケース５０００へ脱着可能に取付けられた部材である。ウェイト支持具６２００は、脱着可能なウェイト６１１０、６１２０および６１３０を支持する支持具である。
【００９９】
ウェイト部材６０００は、矢印Ｚで示された向きに走行伝動ケース５０００へ取付けられる。
【０１００】
ウェイト支持具６２００の、走行伝動ケース５０００が接触する表面には、ウェイト部材６０００の振動および脱落、ならびに走行伝動ケース５０００の金属損傷および騒音などを低減するための樹脂で形成された緩衝部材６２０２が、取付けられている。緩衝部材６２０２は、走行伝動ケース５０００との空隙を確保するスペーサーとしても機能する。
【０１０１】
ウェイト部材６０００が走行伝動ケース５０００へ取付けられていると、ウェイト６１１０、６１２０および６１３０の重量が加わるので、たとえば、駆動後輪１２の重量が小さくても駆動後輪１２の接地が圃場表面状態または圃場土質などの影響で不十分になってしまう恐れは低減される。したがって、駆動後輪１２のスリップに起因する植付間隔の変動は発生しにくく、植付精度が向上する。
【０１０２】
たとえば、積層プレートタイプのウェイト６１１０、６１２０および６１３０のウェイト単位重量が全て１０キログラムであるとき、必要なウェイト総重量が１０キログラムである場合においてはウェイト６１２０および６１３０が取付けられなくてもよいし、必要なウェイト総重量が２０キログラムである場合においてはウェイト６１３０が取付けられなくてもよい。作業者の疲労を招来してしまう恐れがあるので、不必要に大きいウェイト総重量は望ましくない。
【０１０３】
長手方向が上下方向または車体前後方向である、ウェイト６１１０、６１２０および６１３０の長孔もしくは切欠き、またはウェイト６１１０、６１２０および６１３０の丸孔が、ウェイト支持具６２００の単数または複数のウェイト支持ボルト６２０１またはウェイト支持ピンへ係止させられる。したがって、ウェイト６１１０、６１２０および６１３０は脱着可能に支持され、ウェイト総重量の調整は容易である。
【０１０４】
異なった長さのウェイト支持ボルト６２０１がウェイト６１１０、６１２０および６１３０の個数に応じて利用されてもよいし、十分に大きい長さのウェイト支持ボルト６２０１が利用されてもよい。十分に大きい長さのウェイト支持ボルト６２０１が利用される場合においても、たとえば、隣接ウェイト間の空隙は発生しないように、ウェイト６１１０、６１２０および６１３０がウェイト支持具６２００を貫通するウェイト支持ボルト６２０１の締結量の調整によりしっかりと締結されれば、ウェイト振動の発生は抑制される。
【０１０５】
走行伝動ケース５０００は、車体内側ケースカバー５１００と、車体外側ケースカバー５２００と、を有する。車体内側ケースカバー５１００は、車体内側ケースカバーフランジ５１１０を有する。車体外側ケースカバー５２００は、車体外側ケースカバーフランジ５２１０を有する。
【０１０６】
車体内側ケースカバーフランジ５１１０と車体外側ケースカバーフランジ５２１０とは、重ね合わされている。
【０１０７】
ウェイト部材６０００は、走行伝動ケース５０００へ係止させられるウェイト部材取付けフック６２１１および６２１２を有する。
【０１０８】
図１５（ａ）および（ｂ）に示されているように、ウェイト部材６０００は、重ね合わされている車体内側ケースカバーフランジ５１１０および車体外側ケースカバーフランジ５２１０へ車体外側から係止させられてもよいし、重ね合わされている車体内側ケースカバーフランジ５１１０および車体外側ケースカバーフランジ５２１０へ車体内側から係止させられてもよい。
【０１０９】
ここに、図１５（ａ）および（ｂ）は、本発明における実施の形態の野菜苗移植機のウェイト部材６０００近傍の、車体前後方向に垂直な断面に関する模式的な部分断面図（その一および二）である。
【０１１０】
車体内側ケースカバーフランジ５１１０と車体外側ケースカバーフランジ５２１０とは溶接で接続されており、チェーンケース溶接合わせ目は頑丈である。したがって、ウェイト部材６０００は、ウェイト部材取付けフック６２１１および６２１２のみで、ウェイト６１１０、６１２０および６１３０の重量を利用して走行伝動ケース５０００へしっかりと吊下げられ、特別なウェイト部材取付け工具は不要である。
【０１１１】
図１６（ａ）および（ｂ）に示されているように、ウェイト部材６０００は、車体内側ケースカバー本体５１２０へ車体外側から係止させられてもよいし、車体外側ケースカバー本体５２２０へ車体内側から係止させられてもよい。
【０１１２】
ここに、図１６（ａ）および（ｂ）は、本発明における第５の別の実施の形態の野菜苗移植機のウェイト部材６０００近傍の、車体前後方向に垂直な断面に関する模式的な部分断面図（その一および二）である。
【０１１３】
車体内側ケースカバー本体５１２０および車体外側ケースカバー本体５２２０は、比較的に大きく頑丈である。したがって、ウェイト部材６０００は、車体左右方向の長さが大きめであるウェイト部材取付けフック６２１１および６２１２のみで、ウェイト６１１０、６１２０および６１３０の重量を利用して走行伝動ケース５０００へしっかりと吊下げられ、特別なウェイト部材取付け工具は不要である。
【０１１４】
なお、図１７（ａ）および（ｂ）に示されているように、ウェイト支持具６２００はウェイト部材取付けステー６２５０を有し、ウェイト部材取付けステー６２５０は車体内側ケースカバーフランジ５１１０と車体外側ケースカバーフランジ５２１０とへウェイト部材取付けボルト６２６０で固定されている、変形例の実施の形態も考えられる。
【０１１５】
ここに、図１７（ａ）および（ｂ）は、本発明における第６の別の実施の形態の野菜苗移植機のウェイト部材６０００近傍の、車体前後方向に垂直な断面に関する模式的な部分断面図（その一および二）である。
【０１１６】
上述されたように、車体内側ケースカバーフランジ５１１０と車体外側ケースカバーフランジ５２１０とは溶接で接続されており、チェーンケース溶接合わせ目は頑丈である。したがって、ウェイト部材６０００は、チェーンケース溶接合わせ目を間に挟む、ウェイト部材取付けステー６２５０およびウェイト部材取付けプレート６２７０をウェイト部材取付け孔により貫通し、ウェイト部材取付けナット６２８０と螺合するウェイト部材取付けボルト６２６０で走行伝動ケース５０００へしっかりと固定される。
【０１１７】
ウェイト部材取付けフック６２１１および６２１２、またはウェイト部材取付けステー６２５０の、走行伝動ケース５０００が接触する表面には、ウェイト部材６０００の振動および脱落、ならびに走行伝動ケース５０００の金属損傷および騒音などを低減するための樹脂コーティングが、形成されていてもよい。このような樹脂コーティングは、走行伝動ケース５０００との位置ずれを抑制する摩擦ストッパーとしても機能する。
【０１１８】
つぎに、図１８を主として参照しながら、ライト通電機構７０００に関連する構成および動作について具体的に説明する。
【０１１９】
ここに、図１８は、本発明における実施の形態の野菜苗移植機のボンネット７００１の中央部近傍の、車体前後方向に垂直な断面に関する模式的な部分断面図である。
【０１２０】
ボンネット７００１は、矢印ＡおよびＢで示された向きに、接地アースとしても機能するボンネット取付けステー７００２へ脱着可能に取付けられている。
【０１２１】
ボンネット７００１へ取付けられたライト７１００は、ライト正極端子７１１０と、ライト負極端子７１２０と、を有する。
【０１２２】
正極側と電気的に接続された通電板ばね７１１１は、絶縁座金７１１２を利用して樹脂ボルト７１１３でボンネット取付けステー７００２へ取付けられている。
【０１２３】
ボンネット７００１へ取付けられた金属フック７１２１は、ライト負極端子７１２０と電気的に接続されている。
【０１２４】
ライト通電機構７０００の車体脱着は、ボンネット７００１の車体脱着と同時に行われる。
【０１２５】
したがって、ボンネット７００１がボンネット取付けステー７００２へ取付けられていないとき、ライト正極端子７１１０は通電板ばね７１１１と接触せず、金属フック７１２１はボンネット取付けステー７００２と接触しないので、ライト７１００は点灯することができないが、ボンネット７００１がボンネット取付けステー７００２へ取付けられているとき、ライト正極端子７１１０は通電板ばね７１１１と接触し、金属フック７１２１はボンネット取付けステー７００２と接触するので、ライト７１００は点灯することができる。
【０１２６】
ボンネット７００１の大部分はプラスチックなどの導電性の小さい樹脂で構成されており、ライト負極端子７１２０または金属フック７１２１から流れ込む電流はボンネット７００１により遮断されるので、電流がボンネット７００１を経由して不必要な箇所に流れ込むことはなく、誤動作および電気系統の破損は防止される。
【０１２７】
つぎに、図１９および２０を主として参照しながら、野菜苗移植機の改造について具体的に説明する。
【０１２８】
ここに、図１９は本発明に関連する発明における実施の形態の野菜苗移植機の模式的な左側面図であり、図２０は本発明に関連する発明における実施の形態の野菜苗移植機のメインフレーム１４近傍の模式的な部分斜視図である。
【０１２９】
図１９においては、タバコ苗移植機などのキャベツ苗移植機などへの改造が行われる前の状態が示されており、図２０においては、改造が行われた後の状態が示されている。
【０１３０】
タバコ苗移植機のキャベツ苗移植機への改造においては、タバコ苗移植機には不要であるがキャベツ苗移植機には必要である鎮圧機構６０が、ガイドロッド取付けステー８３００を利用して野菜苗供給テーブル４０のべベルギヤケース８２００へ取付けられる。
【０１３１】
ガイドロッド取付けステー８３００は、ガイドロッド取付けステー水平プレート８３１０と、ガイドロッド取付けステー垂直プレート８３２０と、を有する。
【０１３２】
ガイドロッド取付けステー水平プレート８３１０とガイドロッド取付けステー垂直プレート８３２０とは、略Ｔ字形状の断面が形成されるように、溶接で接続されている。
【０１３３】
ガイドロッド取付けステー水平プレート８３１０の端部８３１０ａは、強度性が保証されるように、垂直に折曲げられている。
【０１３４】
ガイドロッド取付けステー８３００の外周部には、ガイドロッド取付けステー水平プレート８３１０に穿孔された一個のガイドロッド取付けステー垂直孔８３１１、ならびにガイドロッド取付けステー垂直プレート８３２０に穿孔された二個のガイドロッド取付けステー水平孔８３２１を利用して、ガイドロッド取付けステー８３００をべベルギヤケース８２００へ取付けるための取付け部が形成されている。
【０１３５】
ガイドロッド取付けステー水平孔８３２１と、対応するべベルギヤケース水平孔８２０１と、には水平方向にボルトが挿入され、ガイドロッド取付けステー垂直孔８３１１と、対応するべベルギヤケース垂直孔８２０２と、には垂直方向にボルトが挿入される。そして、ガイドロッド取付けステー８３００のべベルギヤケース８２００への組付けは、鎮圧機構６０における鎮圧輪フレームの上下振動に起因するボルト緩みが発生しにくいように、縦横のボルト締結を利用して行われる。
【０１３６】
鎮圧機構６０は、野菜苗供給テーブル４０の本体へ直接的に取付けられているのではなく、このようなしっかりとした構成を有するガイドロッド取付けステー８３００を利用して野菜苗供給テーブル４０のべベルギヤケース８２００へしっかりと取付けられているので、鎮圧機構６０の強度性が保証される。
【０１３７】
鎮圧機構６０のガイドロッド８１００は、ガイドロッド取付けステー水平プレート８３１０に穿孔されたガイドロッド取付け孔８３１２を挿通している。そして、ガイドロッド８１００のガイドロッドリフト固定ピン８１０１は、車体１０のメインフレーム１４へ取付けられたガイドロッドリフト固定フック８１０２へ係止させられている。さらに、ガイドロッド８１００の上端部近傍は、ガイドロッドリフト固定ピン８１０１がガイドロッドリフト固定フック８１０２から外れにくいように、ガイドロッド取付けステー垂直プレート８３２０へガイドロッド固定スプリングボルト８３２３で取付けられたガイドロッド固定スプリング８３２２を利用して付勢されている。ガイドロッドリフト固定ピン８１０１がガイドロッドリフト固定フック８１０２へしっかりと係止させられているので、鎮圧機構６０の収納性が保証される。
【産業上の利用可能性】
【０１３８】
本発明における移植機は、スタンド非使用状態を確実に実現することができ、野菜苗などの移植物を植付ける移植機に利用する目的に有用である。
【符号の説明】
【０１３９】
１０  車体
１１  従動前輪
１２  駆動後輪
１３  操縦ハンドル
１４  メインフレーム
２０  エンジン
３０  操作ユニット
４０  野菜苗供給テーブル
４１  野菜苗収容カップ
５０  野菜苗植付装置
６０  鎮圧機構
１０００  パイプ部材
１１１０、１１２０  キー溝
１１５０  キー切欠き
１２１０、１２２０  窪み
１２１１、１２１２、１２２１、１２２２  土手
２０００  スタンド
２１００  スタンドロッド
２１１０  係止ピン
２１２１、２１２２  キー突起
２１３０  鍔
２１５０  ボールスプリング凹み
２１６０  補強アーム
２２００  スタンド接地アーム
３０００  スタンド保持部材
３１００  クリップ
３５００  ボールスプリング機構
３５１０  ボール
３５２０  ボール付勢スプリング
３５３０  スプリング締付ボルト
４０００  スプリング
５０００  走行伝動ケース
５１００  車体内側ケースカバー
５１１０  車体内側ケースカバーフランジ
５１２０  車体内側ケースカバー本体
５２００  車体外側ケースカバー
５２１０  車体外側ケースカバーフランジ
５２２０  車体外側ケースカバー本体
６０００  ウェイト部材
６１１０、６１２０、６１３０  ウェイト
６２００  ウェイト支持具
６２０１  ウェイト支持ボルト
６２０２  緩衝部材
６２１１、６２１２  ウェイト部材取付けフック
６２５０  ウェイト部材取付けステー
６２６０  ウェイト部材取付けボルト
６２７０  ウェイト部材取付けプレート
６２８０  ウェイト部材取付けナット
７０００  ライト通電機構
７００１  ボンネット
７００２  ボンネット取付けステー
７１００  ライト
７１１０  ライト正極端子
７１１１  通電板ばね
７１１２  絶縁座金
７１１３  樹脂ボルト
７１２０  ライト負極端子
７１２１  金属フック
８１００  ガイドロッド
８１０１  ガイドロッドリフト固定ピン
８１０２  ガイドロッドリフト固定フック
８２００  ベベルギヤケース
８２０１  ベベルギヤケース水平孔
８２０２  ベベルギヤケース垂直孔
８３００  ガイドロッド取付けステー
８３１０  ガイドロッド取付けステー水平プレート
８３１１  ガイドロッド取付けステー垂直孔
８３１２  ガイドロッド取付け孔
８３２０  ガイドロッド取付けステー垂直プレート
８３２１  ガイドロッド取付けステー水平孔
８３２２  ガイドロッド固定スプリング
８３２３  ガイドロッド固定スプリングボルト
【図１】
2018102179.tif 000003
【図２】
2018102179.tif 000004
【図３】
2018102179.tif 000005
【図４】
2018102179.tif 000006
【図５】
2018102179.tif 000007
【図６】
2018102179.tif 000008
【図７】
2018102179.tif 000009
【図８】
2018102179.tif 000010
【図９】
2018102179.tif 000011
【図１０】
2018102179.tif 000012
【図１１】
2018102179.tif 000013
【図１２】
2018102179.tif 000014
【図１３】
2018102179.tif 000015
【図１４】
2018102179.tif 000016
【図１５】
2018102179.tif 000017
【図１６】
2018102179.tif 000018
【図１７】
2018102179.tif 000019
【図１８】
2018102179.tif 000020
【図１９】
2018102179.tif 000021
【図２０】
2018102179.tif 000022